(57)【要約】【課題】インターネットのようなコンピュータ・ネットワークを用いて、振動人工ペニスのような装置が提供する経験に類似する、セックスの経験およびエロティックな経験を提供するシステムを提供する。【解決手段】少なくとも１つのコンソールを備え、このコンソールは、コマンドおよび情報をコンピュータ・ネットワークを介して送受信するネットワーク・インタフェースと、使用者の好みを記憶するメモリ・ユニットと、少なくとも１つの性具を含む付属品と、付属品と通信するトランシーバと、ネットワーク・インタフェース、メモリ・ユニットおよびトランシーバに接続されたコントローラとを含む。【選択図】図１
2013519399.tif 000002
【特許請求の範囲】
【請求項１】
少なくとも１つのコンソールを備えたシステムであって、
前記コンソールは、
コマンドおよび情報をコンピュータ・ネットワークを介して送受信するネットワーク・インタフェースと、
使用者の好みを記憶するメモリ・ユニットと、
少なくとも１つの性具を含む付属品と、
前記付属品と通信するトランシーバと、
前記ネットワーク・インタフェース、前記メモリ・ユニットおよび前記トランシーバに接続されたコントローラとを含む、システム。
【請求項２】
請求項１に記載のシステムにおいて、さらに、
使用者セッションを確立するように、前記コンソールと通信する中央サーバを備えた、システム。
【請求項３】
請求項１に記載のシステムにおいて、
前記付属品は、
無線の人工ペニス、
有線の人工ペニス、
無線の人工膣、
有線の人工膣、
映写機、
センサ、
ヘルメット、
パッチ、および
別の付属品を備え付けるための基体のうちの少なくとも１つを含む、システム。
【発明の詳細な説明】
【関連出願】
【０００１】
本願は、２００９年１２月２３日出願の米国仮特許出願第６１／２８９，６７０号の優先権を主張する。この出願の全教示内容は、参照をもって本明細書に取り入れたものとする。
【背景技術】
【０００２】
性交などの性的刺激をシミュレートする様々な装置が流通している。このような装置としては、振動人工ペニス、人工膣、および、機械的な機能を有するセックス人形などが挙げられる。
【０００３】
本発明は、インターネットのようなコンピュータ・ネットワークを用いて、前述の装置が提供する経験に類似する、セックスの経験およびエロティックな経験を提供することに関する。
【発明の概要】
【０００４】
本システムは、コマンドおよび情報をコンピュータ・ネットワークを介して送受信するネットワーク・インタフェースと、使用者の好みを記憶するメモリ・ユニットと、少なくとも１つの性具を含む付属品と、前記付属品と通信するトランシーバと、前記ネットワーク・インタフェース、前記メモリ・ユニットおよび前記トランシーバに接続されたコントローラとを含む、少なくとも１つのコンソールを備える。
【０００５】
本システムは、さらに、使用者セッションを確立するために、前記コンソールと通信する中央サーバを備えてもよい。前記付属品は、無線の人工ペニス、有線の人工ペニス、無線の人工膣、有線の人工膣、映写機、センサ、ヘルメット、パッチおよび／または別の付属品を備え付けるための基体（台）であってもよい。
【０００６】
部品の構成および組み合わせの様々な新規な詳細項目を含む、本発明の上記および他の特徴と、他の利点とを、添付図面を参照して次により詳細に説明し、特許請求の範囲に示す。本発明を具体化する特定の方法および装置は、例証として示され、本発明を制限するものではない。本発明の原理および特徴は、本発明の範囲から逸脱することなく様々な多くの実施形態において採用されてもよい。
【０００７】
添付図面においては、参照符号は、異なる図面であっても同一部品を指す。図面は必ずしも縮尺どおりではなく、代わりに、本発明の原理を示すことに重点が置かれている。
【図面の簡単な説明】
【０００８】
【図１】パーソナル・コンピュータおよび携帯電話を介してネットワークに接続され、サーバと通信するコンソールであって、様々な付属品を有するコンソールを示す図である。
【図２】コンソールを示す図である。
【発明を実施するための形態】
【０００９】
本システムによって、以下に詳述するコンソールを用いて、コンピュータ・ネットワークを介し、２人以上の使用者間でのエロティックな交わりおよび性交が可能となる。
【００１０】
これら使用者は、リアルタイムで、または記憶したデータを用いて、遠隔の性交（２人以上の参加者を含む性交）についてのクラブを構成してもよい。
【００１１】
図１のシステムは、コンソールのコントローラによって制御されるコンソールの付属品を有するコンソールを利用する。図２のコンソールは、コントローラに加えて、付属品と通信するトランシーバ、メモリ・ユニット、コンソールの状態を表示する表示器、および、データを入力するためのキーボードを備える。コンソールのネットワーク・インタフェースによって、コンピュータ・ネットワークに接続されたネットワークコンピュータもしくは携帯電話に接続でき、またはコンピュータ・ネットワークに直接接続できる。コントローラは、各付属品について、個人の設定を記憶してもよい。
【００１２】
コンソールの付属品は、コントローラによる制御が可能な様々な性具であってもよい。これら性具としては、様々な方法で男性および女性の様々な身体部分をシミュレートする能動的性具であって、電源に接続されておらず、無線の遠隔制御が行われる能動的性具がある。
【００１３】
この他のコンソールの付属品としては、性具が備え付けられた基体（台）がある。基体は、寝椅子、ベッドまたは人体の形状を有する。この基体は、その使用者の寸法、物理的能力およびセックスの好みに応じて調整されてもよい。使用者は同時にいくつかの基体を使用してもよく、例えば、口、膣および肛門のセックスの同時シミュレーションのために使用してもよい。振動または挿入の角度、強さ、深さおよび頻度を調節して使用するように、基体は調整可能であってもよい。基体は要素ブロックを有してもよい。要素ブロックは、例えば、肛門と膣の刺激またはシミュレーションのためのアクチュエータとは別個の肛門−膣ブロックである。
【００１４】
性具は、基体に備え付けられても、身体に付けられても、または使用者に保持されてもよい。
【００１５】
各性具は、その動作を制御するいくつかの設定（徐々にまたは動作なし）を有してもよい。各設定は、コントローラによって操作されるか、および／または使用者によって調節されてもよい。前もった設定についての情報は、コンソールのメモリに記憶されてもよい。
【００１６】
性具は、システムの他の使用者と相互作用することなく、その使用者のみによって制御されてもよい。性具は、また、コンピュータ・ネットワークを介して遠隔使用者によって制御されてもよい。
【００１７】
性具の動きは、別の使用者の別の性具と調和されてもよい。使用者は、同期信号を自分の性具に送信してもよく、これに対応してパートナの性具が起動される。代わりに、使用者は、（自分のコンソールを介して、）パートナのコンソールに信号を送信してもよく、これに対応して使用者の性具が起動される。
【００１８】
雑多な付属品と称される、別の種類のコンソールの付属品は、触覚的効果、物理的効果、精神的効果、視覚的効果、音響的効果、および光の効果などを使用者に与える装置である。このような装置は、映写機、発電機、センサ、ヘルメット、パッチ、および装着可能な装置であってもよい。これら装置は、性具の付属品と同一の方法によってシステム内で制御されてもよい。
【００１９】
コンピュータおよびゲームのコンソールがウェブ・カメラ、マイクおよびサウンド装置を内蔵してもよい。
【００２０】
コンソールは、制御信号を付属品に送信し、コンピュータ、ゲーム装置もしくは別のネットワーク装置と通信するか、またはネットワークと直接通信する。雑多な付属品に対するコマンドは、使用者から、または、クラブの他のメンバのコンソールと通信する、使用者のコンピュータから、コンソールに到達してもよい。
【００２１】
付属品と通信するために、コンピュータ、携帯電話およびコンソールは、有線通信および無線通信（Bluetooth（登録商標）、Wi-Fi、WiMAX、高周波通信など）を用いてもよい。コンソールは、グラフィカルな使用者インタフェースを有してもよく、これにより、セッションで用いられるコンソールの付属品についての状態が画像表示される。
【００２２】
コンソールは学習モードを有し、このモードにおいて、付属品に対するドライバおよび設定が決定され、好みが設定される。ドライバは中央サーバによって提供されてもよい。学習モードにおいて、コンソールのキーと付属品の機能の対応関係が確立される。
【００２３】
コンソールは、また、ワークモード（動作中モード）を有し、このモードにおいて、中央サーバは制御信号をコンソールに送信する。コンソールは、さらに、自律モードを有し、このモードにおいて、付属品の全ての制御はキーボードおよびスクリーンなどのコンソール・インタフェースを介して提供される。
【００２４】
コンソールはネットワーク・システムの一部として利用される。このネットワーク・システムは中央サーバを含み、この中央サーバは、使用者のリストを保持し、課金し、コンソール間のセッションを確立し、中央サーバとクラブのメンバのコンソールとの間の通信のためにネットワーク・プロトコルを用いてコンソールを介し付属品に信号を送信する。中央サーバは、異なる言語を使用するクラブのメンバのために言語支援を提供してもよい。
【００２５】
本システムは、コンソールを用いるメンバのためのセックス・クラブとして機能してもよい。使用者は、クラブの掲示板を用いて、セッションが利用できることを他の使用者に知らせてもよい。これは、既に存在するセッションに対する参加の許可を依頼するため、進行中のセッションを見物人として観るため、自分が「性的奴隷」として申し出るため、または「性的奴隷」を雇うために行われる。この参加は、使用者自身を代表して、または使用者のアバタを代表したものであってもよい。
【００２６】
セッションは、１対１の能動的セッション、グループ、１対１の主人／奴隷セッション、または参加者が見物人である受動的セッションであってもよい。セッションにおける使用者の利用および参加は、使用者の条件および好みに従い、かつ使用者のコンソールの能力に依存して、使用者によって決定されてもよい。
【００２７】
セッションが開始する前に、使用者は、そのコンソールを介して、使用者が参加したいセッションのパラメータを送信する。中央サーバは、その使用者のコンソールに、（付属品のモードを設定するために）適切な設定を送信し、必要な課金および登録操作を実行する。
【００２８】
相互の能動的な１対１のセッションによって、参加者（同一の性別または異なる性別の参加者）は、コンソールの付属品を用いて遠隔セックスを経験できる。役割は、前もって参加者によって決定される。例えば、参加者の誰が能動的参加者となり、参加者の誰が受動的参加者となるかを決定しておく。能動的参加者は、参加者の付属品に対する初期制御信号を設定する。各コンソールは、能動的モードで機能（制御信号を送信）し、かつ同時に受動的モードで機能（制御信号を受信）してもよい。
【００２９】
したがって、３つの状況が起こり得る。（ａ）付属品が他の参加者のだれにも同期せず、使用者自身が付属品を制御する。（ｂ）１人の能動的使用者が、別の受動的使用者に属するコンソールの付属品を制御する。（ｃ）両方の使用者のコンソールの付属品が同期して、能動的使用者が両方の使用者のモードを設定する。前記（ｃ）の変形では、２つの具現化が可能である。能動的使用者が信号を自分のコンソールの付属品に送信し、受動的パートナのコンソールの付属品が同期信号を受信する。代わりに、能動的使用者が制御信号をパートナのコンソールに送信し、自分のコンソールの付属品に対する応答信号を受信する。
【００３０】
コマンドは、以下のように送信される。
【００３１】
前記（ｂ）モードでは、能動的使用者は、コマンドを送信して、受動的使用者に属する装置の動きを制御する。能動的使用者に属するコンソールからのこの信号は、この能動的使用者のコンピュータに送信されてから、コンピュータ・ネットワークおよび中央サーバを介して受動的使用者のコンピュータに送信され、その後、受動的使用者のコンソールに送信され、最終的に、コンソールの付属品に送信される。
【００３２】
前記（ｃ）モードでは、能動的使用者は自分のコンソールを用いて、２台の同期した装置（その能動的使用者の装置およびパートナの装置）に制御信号を同時に送信する。パートナのコンソールおよび両方のコンピュータは、初期制御信号の中継器および送信器としての役割を果たす。ビデオおよび音響機器のリンクが、パートナとの間にも確立されてもよい。同期によって、例えば、ある使用者の人工ペニスの動きと別の使用者の人工膣の動きの調和が可能になる。「オープン」セッションにおいて、他の使用者は、見物人または観察者として参加してもよい。
【００３３】
グループ・セッションは、１対１のセッションに類似するが、複数人が参加できる。これら参加者は、好きな時にセッションに連結し、好きな時にセッションから切断してもよい。使用者は、グループ・セッションの他の参加者に、自分達のコンソールの付属品が遠隔制御および同期で利用できることを知らせることができる。参加者の中には、報酬を受ける役者がいてもよい。
【００３４】
使用者は、また、他の使用者がアバタとの仮想セックスを楽しめるように、中央サーバにアバタを作成してもよい。グループ・セッションは、実際の人間だけでなく、アバタによって連結されてもよい。
【００３５】
実際の使用者またはアバタのセッションは、後の使用のために記録されてもよい。
【００３６】
本発明を特にその好ましい実施形態を参照することにより示し説明してきたが、添付された請求項に包含された発明の範囲から逸脱しない範囲で、形態および詳細において様々な変更を行ってもよいことは当業者によって理解されるであろう。
【図１】
2013519399.tif 000003
【図２】
2013519399.tif 000004
【国際調査報告】
2013519399.tif 000005